(57)【要約】      （修正有）【課題】２重壁の間に複数列の補強用のリブが形成された２重壁ブロー成形体。種々の方向の荷重に対する剛性が高く、反りの発生が抑えられ、外観性も優れる２重壁ブロー成形体を提供する。【解決手段】２重壁１，２の間に複数列の凹状リブ５と、複数列の隠しリブ６が交互に配置されている。凹状リブ５は壁１から連続して壁２に向けて延びており、列の長さ方向に交互に配置されかつ長さ方向に連続した第１リブ７と第２リブ８からなる。第１リブ７は断面略台形状をなし、その頂面部１２が壁２の内側に溶着している。第２リブ８は台形部１６とパリソンが２重に溶着した板状部１７からなる。隠しリブ６は壁２から連続して壁２に向けて延び、その頂部が壁１の内側に溶着し、かつ全体が互いに溶着して板状をなす。【選択図】図１
2013063533.tif 000002
【特許請求の範囲】
【請求項１】
２重壁の間に１列又は複数列の凹状リブと、１列又は複数列の板状リブが交互に配置され、前記凹状リブは列の長さ方向に交互に配置されかつ長さ方向に連続した第１リブと第２リブからなり、前記第１リブは、前記２重壁の一方の壁から連続して他方の壁に向けて延びる両側面部と頂面部で構成された断面略台形状をなす部分であり、前記第２リブは、前記一方の壁から連続して前記他方の壁に向けて延び、その頂部を含む全部又は大部分が互いに溶着して板状をなす部分であり、前記板状リブは前記他方の壁から連続して前記一方の壁に向けて延び、その頂部が前記一方の壁の内側に溶着するとともに全体が互いに溶着して板状をなす隠しリブであることを特徴とする２重壁ブロー成形体。
【請求項２】
前記第１リブの頂面部が前記他方の壁の内側に溶着し又は前記他方の壁の内側近傍に位置し、前記第２リブの頂部が前記他方の壁との間に隙間を有することを特徴とする２重壁ブロー成形体。
【発明の詳細な説明】
【技術分野】
【０００１】
本発明は、２重壁の間に複数列の補強用のリブが形成された２重壁ブロー成形体の改良に関する。
【背景技術】
【０００２】
特許文献１には、２重壁の間に種々の形態の補強用のリブが形成されたボード状の２重壁ブロー成形体が記載されている。
特許文献１の図１には、２重壁の一方の壁から連続して他方の壁に向けて延びる複数列の凹状リブが形成された２重壁ブロー成形体が記載されている。前記凹状リブは列の長さ方向に交互に配置されかつ長さ方向に連続した第１リブと第２リブからなる。第１リブは、両側面部と狭くなった頂面部で構成された断面台形状の部分からなり、その頂面部が前記他方の壁の内側に溶着している。第２リブは、断面台形状の部分と互いに溶着した板状部分からなり、その頂部は前記他方の壁との間に隙間を有する。
【０００３】
特許文献１の図４には、２重壁の一方の壁から連続して他方の壁に向けて延びる凹状リブと、２重壁の前記他方の壁から連続して前記一方の壁に向けて延びる凹状リブが、２重壁の間に交互に形成された２重壁ブロー成形体が記載されている。どちらの凹状リブも、図１の凹状リブと同じ断面形状である。
特許文献１の図５には、２重壁の一方の壁及び他方の壁から連続して対向する壁に向けて延びる複数列の凹状リブが形成された２重壁ブロー成形体が記載されている。前記凹状リブは、特許文献１の図１の凹状リブが半分の高さで一対対向配置され、台形状部の頂面部同士が溶着した形態を有する。
【０００４】
特許文献１の図７には、２重壁の一方の壁から連続して他方の壁に向けて延びる複数列の凹状リブが形成された２重壁ブロー成形体が記載されている。この凹状リブは長さ方向に一定な断面形状（両側面部と狭くなった頂面部で構成された断面台形状）を有する。
特許文献１の図８には、２重壁の一方の壁から連続して他方の壁に向けて延びる複数列の隠しリブが形成された２重壁ブロー成形体が記載されている。
【先行技術文献】
【特許文献】
【０００５】
【特許文献１】特開２００３−１６５１５２号公報
【発明の概要】
【発明が解決しようとする課題】
【０００６】
特許文献１の図１に記載された２重壁ブロー成形体は、前記他方の壁（第１リブの頂面部が溶着する壁）の平均肉厚が大きく、逆に前記一方の壁（凹状リブの凹部が形成されている壁）の平均肉厚が小さくなるという問題がある。これは、前記一方の壁のパリソンが、金型に形成された突起に最初に接触して冷却し、以後ほとんど薄肉化しないまま前記他方の壁のパリソンに向けて押し込まれて溶着し、かつ、前記一方の壁のパリソンは押し込まれた分だけブロー成形時に膨張し薄肉化するためである。このため、２重壁ブロー成形体の剛性が低下する、ブロー成形時の収縮が両壁で異なり反りが発生するなどの問題がある。
【０００７】
特許文献１の図４に記載された２重壁ブロー成形体は、２重壁の両壁から対向する壁に向けて延びるリブを形成しているため、同図１に記載された２重壁ブロー成形体に生じる問題点は解消される。しかし、両方の壁に凹状リブの凹部が露出しているため、外観性が劣る（片面だけでも平らな方がよい）という問題がある。
特許文献１の図５に記載された２重壁ブロー成形体は、同図４に記載された２重壁ブロー成形体と同じ問題がある。また、２重壁の中央にパリソンの材料が集まり、２重壁の両壁が薄肉化して、断面２次モーメントが小さくなり曲げ剛性が低いという問題がある。
【０００８】
特許文献１の図７に記載された２重壁ブロー成形体は、同図１に記載された２重壁ブロー成形体に生じる問題点と同様の問題点があり、かつ凹状リブの長さ方向に沿って曲げるように掛かる荷重に対しては、凹状リブがない場合よりかえって剛性が低いという問題点がある。
特許文献１の図８に記載された２重壁ブロー成形体は、同図１に記載された２重壁ブロー成形体に生じる問題点と同様の問題点があり、かつ隠しリブの長さ方向に沿って曲げるように掛かる荷重に対して剛性が低いという問題がある。また、隠しリブは板状であるため荷重により倒れや座屈が発生しやすく（特に隠しリブに対し横方向から斜めに掛かる荷重に対して弱い）、せん断剛性が低いという問題点がある。
【０００９】
本発明は、２重壁の間に複数列の補強用のリブが形成された２重壁ブロー成形体についてのこのような問題点を解決するためになされたもので、種々の方向の荷重に対する剛性が高く、反りの発生が抑えられ、外観性も優れる２重壁ブロー成形体を得ることを目的とする。
【課題を解決するための手段】
【００１０】
本発明に係る２重壁ブロー成形体は、２重壁の間に１列又は複数列の凹状リブと、１列又は複数列の板状リブが交互に配置され、前記凹状リブは列の長さ方向に交互に配置されかつ長さ方向に連続した第１リブと第２リブからなり、前記第１リブは、前記２重壁の一方の壁から連続して他方の壁に向けて延びる両側面部と頂面部で構成された断面略台形状をなす部分であり、前記第２リブは、前記一方の壁から連続して前記他方の壁に向けて延び、その頂部を含む全部又は大部分が互いに溶着して板状をなす部分であり、前記板状リブは前記他方の壁から連続して前記一方の壁に向けて延び、その頂部が前記一方の壁の内側に溶着するとともに全体が互いに溶着して板状をなす隠しリブであることを特徴とする。
上記２重壁ブロー成形体において、好ましくは、前記第１リブの頂面部が前記他方の壁の内側に溶着し又は前記他方の壁の内側近傍に達し、前記第２リブの頂部が前記他方の壁との間に隙間を有する。
【発明の効果】
【００１１】
本発明に係る２重壁ブロー成形体は、２重壁の間に形成された補強用のリブが、２重壁の一方の壁から連続して他方の壁に向けて延びる凹状リブと、前記他方の壁から前記一方の壁に向けて延びる隠しリブからなるので、種々の方向の荷重に対する剛性が高く、反りの発生が抑えられ、外観性も優れる。
【図面の簡単な説明】
【００１２】
【図１】本発明に係る２重壁ブロー成形体をリブに対し垂直に切断したものの斜視図である。
【図２】図１の２重壁ブロー成形体の切断面を中心とした一部拡大図である。
【発明を実施するための形態】
【００１３】
図１，２を参照して、本発明に係る２重壁ブロー成形体について説明する。
この２重壁ブロー成形体はボード状で、略平面状の一方の壁１と平面状の他方の壁２、前記壁１，２の四方を囲む側壁（側壁３，４のみ示す）、及び補強のため壁１から壁２に向けて連続的に延びる凹状リブ５と、壁２から壁１に向けて連続的に延びる板状リブ（隠しリブ）６からなる。凹状リブ５と隠しリブ６は互いに平行であり、２重壁（壁１，壁２）の間で交互に配置されている。
【００１４】
凹状リブ５は、長さ方向に交互に配置された第１リブ７と第２リブ８からなる。第１リブ７と第２リブ８は凹状リブ５の長さ方向に連続している。隣接して配置された凹状リブ５，５は互いに長さ方向に半ピッチ（第１リブ７と第２リブ８の合計長さの半分）ずれている。
第１リブ７は、壁１から連続して壁２に向けて延びる両側面部９，１１と頂面部１２からなり、断面が略台形状をなしている。頂面部１２は壁２の内側に溶着している。
第２リブ８は、壁１から連続して壁２に向けて延びる両側面部１３，１４と頂面部１５からなる断面が台形状の台形部１６と、台形部１６の頂面部１５から壁２に向けて延びる板状部１７からなる。板状部１７はパリソンが２重に溶着した部分であり、その頂部１８は壁２との間に若干の隙間１９を有する。
この凹状リブ５は、特許文献１の段落０００７〜０００９及び図１〜３に記載された方法で形成することができる。
【００１５】
隠しリブ６は、壁２から連続して壁１に向けて延び、その頂部２１が壁１の内側に溶着し、かつ全体としてパリソンが２重に溶着して板状となっている。壁２側に隠しリブ１６の痕跡がスジとなって表れているが、凹状リブ５と異なり凹部が露出せず、壁２は基本的に平らである。
この隠しリブ６は、キャビティ内に突出可能なスライド金型を設置した金型（スライド金型は突出していないとき頂部が金型のキャビティ面と面一の位置にあり、突出したとき頂部が対向する金型のキャビティ面近傍に達する）を用いて形成することができる。その方法自体周知である。
【００１６】
上記２重壁ブロー成形体では、特定の断面構造を有する第１リブ７と第２リブ８からなる凹状リブ５を壁１から壁２に向かうように形成しているため、特許文献１に記載された２重壁ブロー成形体と同様に、基本的に高い曲げ剛性、せん断剛性及び圧縮剛性を有する。そして、上記２重壁ブロー成形体は、さらに隠しリブ６を壁２から壁１に向かうように形成している。壁１は隠しリブ６の頂部２１が溶着することで、壁２は凹状リブ５の第１リブ７の頂面部１２が溶着することで、共に平均肉厚が大きくなる。このため、両壁１，２の間に大きい肉厚差が付くことに伴う剛性の低下がなく、また、断面２次モーメントが大きくなることで曲げ剛性が高くなる。なお、凹状リブ５の第２リブ８の板状部１７の頂部１８が厚肉で壁２の近傍に達することから、これも断面２次モーメントの増大に寄与している。また、両壁１，２の平均厚さに大きい差が付かないため、反りの発生なども抑制できる。
さらに、上記２重壁ブロー成形体は、片面（壁２）に凹部が形成されないから、外観性にも優れる。
【００１７】
なお、上記の例では、凹状リブ５の第１リブ７の頂面部１２が壁２の内側に溶着していたが、これは必須ではない。しかし、溶着していない場合でも、前記頂面部１２が壁２の内側近傍に位置していることが望ましい。
上記の例では、凹状リブの第２リブ８が台形部１６と板状部１７からなるが、台形部１６が形成されず、板状部１７のみが形成されていてもよい。
また、上記の例では、凹状リブ５と隠しリブ６は互いに平行に形成されていたが、これは必須ではない。例えば凹状リブ５と隠しリブ６が平面視で互いに傾斜し（平面視でハの字形）、あるいは端部で接続した（Ｖの字形）形態も考えられる。凹状リブ５同士、隠しリブ６同士が平面視で互いに傾斜して配置されていてもよい。さらに凹状リブ５と隠しリブ６はそれぞれ平面視で湾曲した形態も取り得る。
【符号の説明】
【００１８】
１，２  ２重壁の壁
５  凹状リブ
６  隠しリブ
【図１】
2013063533.tif 000003
【図２】
2013063533.tif 000004